(57)【要約】      （修正有）【課題】美しさと鮮やかな雰囲気を大幅に向上できるようにすること、及び、有効に広く応用できるようにするカラーチェンジ・ストリングライトを提供する。【解決手段】カラーチェンジ・ストリングライトは、複数のカラーチェンジ発光体１０と、整流回路２０と、制御スイッチ３０が直列接続してある。カラーチェンジ発光体１０は、発光する色が異なる複数のＬＥＤマイクロライト１２と可変抵抗器１３と点滅制御ＩＣ１４が透明ケース内に設けてある。整流回路２０から直流低電圧が出力され、制御スイッチ３０を経て、各カラーチェンジ発光体１０内の点滅制御ＩＣ１４が駆動され、点滅制御ＩＣ１４が複数のＬＥＤマイクロライト１２をそれぞれ交替に点滅するように制御し、各カラーチェンジ発光体１０が多様な色を放出し、カラーチェンジ・ストリングライト全体がカラフルに発光され、色が変わる。【選択図】図１
0003150542.tif 000002
【実用新案登録請求の範囲】
【請求項１】
複数のカラーチェンジ発光体（１０）と、整流回路（２０）と、制御スイッチ（３０）が直列に接続してあり、
該カラーチェンジ発光体（１０）は、発光する色が異なる複数のＬＥＤマイクロライト（１２）と可変抵抗器（１３）と点滅制御ＩＣ（１４）が透明ケース（１１）内に設けてある構成であり、
該整流回路（２０）から直流低電圧が出力され、該制御スイッチ（３０）を経て、各カラーチェンジ発光体（１０）内の点滅制御ＩＣ（１４）が駆動され、該点滅制御ＩＣ（１４）が複数の該ＬＥＤマイクロライト（１２）をそれぞれ交替に点滅するように制御し、
各カラーチェンジ発光体（１０）が多様な色を放出する、カラーチェンジ・ストリングライト。
【考案の詳細な説明】
【技術分野】
【０００１】
本考案はカラーチェンジ・ストリングライトに係り、特に複数のカラーチェンジ発光体が接続して組み合わされて紐状である装飾のためのカラーチェンジ・ストリングライトに関する。
【０００２】
カラーチェンジ発光体は、色が異なり、体積が非常に小さいＬＥＤマイクロライト、可変抵抗器及び点滅制御ＩＣが共同で透明ケースに設けられてなるものであり、駆動用整流回路と制御スイッチにより、各カラーチェンジ発光体の点滅制御ＩＣが制御され、それから、点滅制御ＩＣの出力により、各ＬＥＤマイクロライトが交替に点滅するように制御され、各発光体がそれぞれ多様なカラーに光り、点滅し、更に、カラーチェンジ・ストリングライト全体をカラフルに発光させる、視学的な美しさを見せるものである。
【背景技術】
【０００３】
従来のストリングライトは、複数のランプからなるもので、色の異なったランプを用いて、制御ＩＣの制御と駆動によって、ストリングライトの異なった色のランプを、個別または一群で交替に点滅させるようにするものであり、このようなカラーチェンジ・ストリングライトは通常、誕生日のお祝い、パーティーまたはお祭りのとき、室内の壁や、窓際または飾り物（クリスマスツリー）の上に掛けて、楽しくて、眩しい雰囲気をかもし出すように用いられている。
【０００４】
従来のストリングライトは、伝統的なランプを用いるのが多く、そのランプは消費電力がかかり、熱くなりやすいので、経済的でなく、消耗されやすいものである。
【０００５】
近年、発明されたＬＥＤは、省エネ、熱くならないため、伝統的なランプに代わって、次第に広く用いられるようになっている。
【考案の概要】
【考案が解決しようとする課題】
【０００６】
ストリングライト製品のなかにはＬＥＤライトを直列接続して作られたものもあるが、ＬＥＤライトは、各ＬＥＤライトが一つの色しか発光しないので、カラフルの効果を出すとき、色の異なったＬＥＤライトを用いて、その配置、計画を慎重に行い、そして、異なった色のＬＥＤライトを交替に点滅させるための制御ＩＣを用いる必要がある。
【０００７】
このようなストリングライトはせいぜい、個別のＬＥＤの有する色だけで点滅し、発光が単調で変化に乏しいということで、それをさらに改善する可能性がある。
【０００８】
それを鑑みて、本考案の考案者は、関連製品の開発、製造に携わる長年の経験を持っており、積極的に研究、設計、試作、測定、修正などの開発過程を経て、ようやく、試用効果がよく、試験結果がよく、優れた本考案の開発に成功した。
【０００９】
従来のストリングライトは、各ランプやＬＥＤライトが一つの色しか持たないので、発光が単調で変化に乏しいという欠点が残されており、それを改善するのが本考案の課題である。
【００１０】
本考案は、前記課題を解決した、カラーチェンジ・ストリングライトを提供することを目的とする。
【課題を解決するための手段】
【００１１】
本考案は、複数のカラーチェンジ発光体（１０）と、整流回路（２０）と、制御スイッチ（３０）が直列に接続してあり、
該カラーチェンジ発光体（１０）は、発光する色が異なる複数のＬＥＤマイクロライト（１２）と可変抵抗器（１３）と点滅制御ＩＣ（１４）が透明ケース（１１）内に設けてある構成であり、
該整流回路（２０）から直流低電圧が出力され、該制御スイッチ（３０）を経て、各カラーチェンジ発光体（１０）内の点滅制御ＩＣ（１４）が駆動され、該点滅制御ＩＣ（１４）が複数の該ＬＥＤマイクロライト（１２）をそれぞれ交替に点滅するように制御し、
各カラーチェンジ発光体（１０）が多様な色を放出する構成である。
【考案の効果】
【００１２】
カラーチェンジ発光体が発光する色が異なる複数のＬＥＤマイクロライトを有するものであるため、カラーチェンジ・ストリングライト全体は、多様な発光性と豊富な色の点滅変化を呈し、従来のカラーチェンジ・ストリングライトの限られた効果を超えて、カラーチェンジ・ストリングライトの美しさと鮮やかな雰囲気を大幅に向上できる。
【００１３】
カラーチェンジ発光体が色の異なった複数のＬＥＤマイクロライトを有するものであるため、一つだけで複数の伝統的なランプまたはＬＥＤライトに代わって用いられ、よって、カラーチェンジ・ストリングライトに使用するライトまたはＬＥＤライト、電線材の使用数が削減され、コストや消費電力も削減、加工作業が簡単化などの多重効果を有する。
【００１４】
カラーチェンジ・ストリングライトは、体積が小さくなり、コンパクトになり、より多くの飾り物に使用可能であり、有効に広く応用できる。
【図面の簡単な説明】
【００１５】
【図１】本考案の実施例１になるカラーチェンジ・ストリングライトの回路図である。
【図２】本考案の実施例１になるカラーチェンジ・ストリングライトを示す図である。
【図３】図２中、一つのカラーチェンジ発光体を拡大して示す斜視図である。
【考案を実施するための形態】
【００１６】
以下、本考案の実施の形態について説明する。以下の実施例は説明用に限られ、本考案になるカラーチェンジ・ストリングライトはこれらの構造に制限されない。
【実施例１】
【００１７】
図１及び図２に示すように、本考案の実施例１になるカラーチェンジ・ストリングライトは、複数のカラーチェンジ発光体１０と、一つの整流回路２０と、一つの制御スイッチ３０を、電線で直列に接続して組み合わせたものであり、長い紐状である。
【００１８】
図３に併せて示すように、カラーチェンジ発光体１０は、発光する色が異なる複数のＬＥＤマイクロライト１２が、可変抵抗器１３及び点滅制御ＩＣ１４と共に、普通の大きさの透明ケース１１の中に設けられている構成である。複数のカラーチェンジ発光体１０は個々のカラーチェンジ発光体１０が電線によって一列に接続してある構成である。
【００１９】
整流回路２０は直流低電圧３〜４．５Ｖを出力する。
【００２０】
制御スイッチ３０は、切り替え制御して、各カラーチェンジ発光体１０内の点滅制御ＩＣ１４を駆動させる。点滅制御ＩＣ１４の出力により、各カラーチェンジ発光体１０内の複数のＬＥＤマイクロライト１２がそれぞれ交替に点滅するように制御される。
【００２１】
各ＬＥＤマイクロライト１２がそれぞれ異なった色に発光するため、通電時に、カラーチェンジ・ストリングライト全体を見ると、各カラーチェンジ発光体１０の灯体が外部へカラフルな色変化を呈し、様々な色（赤、黄、青、緑など）を交替に発光すると同時に、各ＬＥＤマイクロライト１２に対する制御スイッチ３０と点滅制御ＩＣ１４の制御設定により、単一または複数のＬＥＤマイクロライト１２を点滅させるように制御して、ライトの発光時間が遅れたり、重ねたりすることによって、カラーチェンジ発光体１０の灯体の珍しい混色効果を呈し（例えば、赤の光と青の光を混色して、紫の光を見せるなど）、大変美しい。
【００２２】
カラーチェンジ・ストリングライト全体は、カラーチェンジ発光体１０の巧妙な使い方により、多様な発光性と豊富な色の点滅変化を呈し、従来のカラーチェンジ・ストリングライトの限られた効果を超えて、カラーチェンジ・ストリングライトの美しさと鮮やかな雰囲気を大幅に向上できる。
【００２３】
本考案のカラーチェンジ発光体１０が、一つだけで４つの従来のランプまたはＬＥＤライトに代わって用いられるため、カラーチェンジ・ストリングライトのライトや電線材の使用数が削減され、コストや消費電力も削減、加工作業が簡単化などの多重効果があり、また、このようなカラーチェンジ・ストリングライトは、体積が小さくなり、コンパクトになり、より多くの飾り物に使用可能、有効に広く応用される。
【００２４】
即ち、本考案の設計されたオリジナルな構造は、多色の光や点滅変化の制御メカニズムを一つの発光体の中に納め、そして、各カラーチェンジ発光体を一列に接続して、各カラーチェンジ発光体の発光した多様な色変化を呈し、カラーチェンジ・ストリングライト全体の美しさが大幅に向上している。
【００２５】
上述の実施例は本考案を具体的に説明したものであり、文中では特定の専門用語を用いて説明しているが、本考案の範囲を限定するものではない。この技術分野を熟知した人は本考案に変更または改良を加えることができるが、それらの変更または改良は、本考案の精神及び原則を逸脱しない限り、全て本願の実用新案登録請求の範囲の範疇に含まれるものである。
【符号の説明】
【００２６】
１０  カラーチェンジ発光体
１１  ケース
１２  ＬＥＤマイクロライト
１３  可変抵抗器
１４  点滅制御ＩＣ
２０  整流回路
３０  制御スイッチ
【図１】
0003150542.tif 000003
【図２】
0003150542.tif 000004
【図３】
0003150542.tif 000005